(57)【要約】      （修正有）【課題】片手でも容易に着用でき利便性と安全性が向上されている上にコンパクトかつ丈夫に折り畳むことができる眼鏡を提供する。【解決手段】フロントユニット１と、その両側にそれぞれ智１１１を介して連結されている一対のテンプルユニット２とを備え、各テンプルユニットは、智と繋がっているテンプル部３と、揺動できるように結合部５を介してテンプル部に連結されているモダン部４と、モダン部とテンプル部とを係脱可能に係合させる係合手段６とを有し、各モダン部は、揺動によりモダン部が対応のテンプル部から脱離して離れた非係合位置と、モダン部が対応のテンプル部と係合された係合位置との間で移動でき、結合部は、対応のモダン部を非係合位置側に付勢する。【選択図】図２
0003191437.tif 000002
【実用新案登録請求の範囲】
【請求項１】
レンズを保持するフロントユニットと、前記フロントユニットの左右両側にそれぞれ智を介して連結されている一対のテンプルユニットとを備える眼鏡であって、
各前記テンプルユニットは、前記智と繋がっているテンプル部と、前記テンプル部に対して揺動できるように弾性を有する結合部を介して前記テンプル部に連結されているモダン部と、前記モダン部の前記揺動を制止するように前記モダン部と前記テンプル部とを係脱可能に係合させる係合手段とを有し、
各前記テンプル部は、対応する前記智により前記フロントユニットとヒンジ接続されている接続部分と、該接続部分と一体に形成されている第１の連結部分と、前記結合部と一体に形成されており前記第１の連結部分と脱離可能に連結されている第２の連結部分とを有し、
各前記モダン部は、前記フロントユニットに近い側であり前記係合手段によって前記テンプル部と係脱可能に係合される係合部と、前記フロントユニットから遠い側であり着用時に着用者の頭部を受け入れる導入部とを有し、また、
各前記モダン部の前記係合部は、前記揺動により非係合位置と係合位置との間で移動でき、前記係合位置は、一対の前記モダン部の各前記係合部がそれぞれ対応の前記テンプル部と係合されて各前記導入部同士が近づいた位置であり、前記非係合位置は、一対の前記モダン部の各前記係合部がそれぞれ対応の前記テンプル部から脱離して各前記導入部同士が離れた位置であり、各前記結合部は、対応の前記モダン部を前記非係合位置側に付勢するものであるようになっている
ことを特徴とする眼鏡。
【請求項２】
各前記テンプル部の前記第１の連結部分は、内部に嵌合溝を形成している嵌合溝形成壁と、前記嵌合溝形成壁を貫通していると共に前記嵌合溝と連通している調整孔とを有し、
各前記テンプル部の前記第２の連結部分は、脱離可能に前記嵌合溝と嵌合される嵌合腕と、前記嵌合腕に突設されており脱離可能に前記調整孔に挿入される突起を有する
ことを特徴とする請求項１に記載の眼鏡。
【請求項３】
各前記結合部は、前記モダン部と繋がっている第１の端と、前記テンプル部と繋がっている第２の端とを有し、
各前記テンプル部の前記第２の連結部分は、一端が前記結合部の前記第２の端と一体に形成されており他端が前記嵌合腕と繋がっている弾性連結壁を有し、
前記弾性連結壁には、前記モダン部に面する側面から窪むように形成された内側窪みと、該弾性連結壁の前記内側窪みが形成されている面の反対面からそれぞれ窪むように形成された複数の外側窪みとが設けられている
ことを特徴とする請求項１または２に記載の眼鏡。
【請求項４】
各前記係合手段は、前記モダン部の前記係合部と前記テンプル部とのいずれか一方に設けられている係合溝と、他方に設けられていると共に前記係合溝と係合できる突条とから構成されている
ことを特徴とする請求項１から３のいずれか一項に記載の眼鏡。
【請求項５】
各前記テンプル部の前記第１の連結部分は、前記モダン部に面する側に受け入れ溝が形成されており、
各前記モダン部の前記係合部は、前記導入部から離れた端に、前記受け入れ溝に嵌め入れることができるように形成された嵌め入れ部を有し、
各前記係合手段の前記係合溝は、前記モダン部の前記嵌め入れ部に設けられており、前記突条は、前記テンプル部の前記第１の連結部分に前記受け入れ溝に向かって突出するように設けられている
ことを特徴とする請求項４に記載の眼鏡。
【考案の詳細な説明】
【技術分野】
【０００１】
本考案は眼鏡に関し、特に着用時の安全性が高められた眼鏡に関するものである。
【背景技術】
【０００２】
一般に眼鏡は、レンズと、レンズを保持するリムなどを含む（リムレスも有り）フロント部と、フロント部の両側からそれぞれ後方に延伸する一対のテンプル（つる）部と、から構成されており、各テンプル部はフロント部と連結される部分である智（蝶番部分）と、その反対側で着用者の耳に掛けられる部分であるモダンと、を有する。また、各モダンの先端は着用した際に着用者の耳の後ろの部分に当接できるようにそれぞれ内側に反っている。
【０００３】
通常、テンプル部は収納のために智を折ることで折り畳めるようになっており、テンプル部が折り畳まれた収納状態の眼鏡を着用する際には、両手でテンプル部を広げて展開状態にしてから着用する。
【０００４】
しかし、例えば片手が塞がっておりもう片方の手のみで着用しなくてはいけない場合がよくあり、このような場合、通常、片手で一方のテンプル部をつかみ、他方のテンプル部のモダンを顔に押し当てて両方のテンプル部を押し広げるようにして着用するが、作業が難儀な上に、モダンの先端が目に刺さりかねないという危険性がある。
【０００５】
上述の問題を解決するための眼鏡として、特許文献１（台湾登録実用新案Ｍ４０６７４７号明細書）に示されているものがある。図１に示されているように、該眼鏡は、レンズを保持するフロント部９１と、フロント部９１の両側からそれぞれ延伸する一対のテンプル部９２を備えている。各テンプル部９２は、一端がフロント部９１と連結されている延伸部９２１と、水平方向に揺動可能となるようにヒンジ９３により延伸部９２１の他端にヒンジ結合されているモダン部９２２とを有する。各モダン部９２２は、フロント部９１に近い側の第１の端９２３と、その反対側の第２の端９２４とを有する。
【０００６】
以上のように、該眼鏡は、モダン部９２２が水平方向に揺動できる構造に成っているので、眼鏡を着用する際には、一対のモダン部９２２を、後端である第２の端９２４同士の間隔が広がるように揺動させてから顔に嵌めることができるので、着用に便利な上に、各第２の端９２４が着用の際に目に刺さるという危険を回避することができる。
【先行技術文献】
【特許文献】
【０００７】
【特許文献１】台湾登録実用新案Ｍ４０６７４７号明細書
【考案の概要】
【考案が解決しようとする課題】
【０００８】
しかしながら、上述した従来の眼鏡は、テンプル部９２とモダン部９２２とが別々に設けられている上に、モダン部９２２が揺動できるようにテンプル部９２の一端にヒンジ結合されているので、その分、折り畳んだ状態においてもテンプル部９２が嵩張り、コンパクトに収納できないという問題点がある。また、収納状態において、モダン部９２２が不意に揺動してレンズにぶつかりレンズを傷つける虞もある。
【０００９】
本考案は、上記従来技術の問題点に鑑みてなされたものであり、その目的は、着用の際の利便性と安全性が向上されている上に、コンパクトかつ丈夫に折り畳むことができる眼鏡の提供にある。
【課題を解決するための手段】
【００１０】
上記目的を達成するための手段として、本考案は、以下の眼鏡を提供する。
【００１１】
即ち、レンズを保持するフロントユニットと、前記フロントユニットの左右両側にそれぞれ智を介して連結されている一対のテンプルユニットとを備える眼鏡であって、各前記テンプルユニットは、前記智と繋がっているテンプル部と、前記テンプル部に対して揺動できるように弾性を有する結合部を介して前記テンプル部に連結されているモダン部と、前記モダン部の前記揺動を制止するように前記モダン部と前記テンプル部とを係脱可能に係合させる係合手段とを有し、各前記テンプル部は、対応する前記智により前記フロントユニットとヒンジ接続されている接続部分と、該接続部分と一体に形成されている第１の連結部分と、前記結合部と一体に形成されており前記第１の連結部分と脱離可能に連結されている第２の連結部分とを有し、各前記モダン部は、前記フロントユニットに近い側であり前記係合手段によって前記テンプル部と係脱可能に係合される係合部と、前記フロントユニットから遠い側であり着用時に着用者の頭部を受け入れる導入部とを有し、また、各前記モダン部の前記係合部は、前記揺動により非係合位置と係合位置との間で移動でき、前記係合位置は、一対の前記モダン部の各前記係合部がそれぞれ対応の前記テンプル部と係合されて各前記導入部同士が近づいた位置であり、前記非係合位置は、一対の前記モダン部の各前記係合部がそれぞれ対応の前記テンプル部から脱離して各前記導入部同士が離れた位置であり、各前記結合部は、対応の前記モダン部を前記非係合位置側に付勢するものであるようになっていることを特徴とする眼鏡である。
【００１２】
また、本考案に係る眼鏡においては、各前記テンプル部の前記第１の連結部分は、内部に嵌合溝を形成している嵌合溝形成壁と、前記嵌合溝形成壁を貫通していると共に前記嵌合溝と連通している調整孔とを有し、各前記テンプル部の前記第２の連結部分は、脱離可能に前記嵌合溝と嵌合される嵌合腕と、前記嵌合腕に突設されており脱離可能に前記調整孔に挿入される突起を有することが好ましい。
【００１３】
また、前記結合部は、前記モダン部と繋がっている第１の端と、前記テンプル部と繋がっている第２の端とを有し、各前記テンプル部の前記第２の連結部分は、一端が前記結合部の前記第２の端と一体に形成されており他端が前記嵌合腕と繋がっている弾性連結壁を有し、前記弾性連結壁には、前記モダン部に面する側面から窪むように形成された内側窪みと、該弾性連結壁の前記内側窪みが形成されている面の反対面からそれぞれ窪むように形成された複数の外側窪みとが設けられていることが好ましい。
【００１４】
更に、各前記係合手段は、前記モダン部の前記係合部と前記テンプル部とのいずれか一方に設けられている係合溝と、他方に設けられていると共に前記係合溝と係合できる突条とから構成されていることが好ましい。
【００１５】
具体的には、各前記テンプル部の前記第１の連結部分は、前記モダン部に面する側に受け入れ溝が形成されており、各前記モダン部の前記係合部は、前記導入部から離れた端に、前記受け入れ溝に嵌め入れることができるように形成された嵌め入れ部を有し、各前記係合手段の前記係合溝は、前記モダン部の前記嵌め入れ部に設けられており、前記突条は、前記テンプル部の前記第１の連結部分に前記受け入れ溝に向かって突出するように設けられていることが好ましい。
【考案の効果】
【００１６】
上記手段によれば、モダン部が揺動できるように結合部を介してテンプル部に連結されている上に、結合部がモダン部を非係合位置に向かって付勢していることにより、テンプルユニットが展開された状態において、両方のモダン部の導入部間の間隔が広く開くので、着用に便利なだけでなく、着用時にモダン部の先端が目に刺さるという危険が回避できる。加えて、収納に際しては、モダン部を揺動させて係合手段によりモダン部の係合部がテンプル部の第１の連結部分に係合される係合位置におくことができるので、係合位置のままテンプルユニットを折り畳めば、眼鏡がコンパクトに収納できる上に収納状態における眼鏡の構造強度が向上されており、更にはモダン部が不意に揺動してレンズを傷つけることが防がれている。
【図面の簡単な説明】
【００１７】
【図１】従来の眼鏡の一例を示す斜視図である。
【図２】本考案に係る眼鏡の一実施形態を示す上面図である。
【図３】本考案に係る眼鏡の一実施形態におけるテンプルユニットの一部を示す斜視図である。
【図４】本考案に係る眼鏡の一実施形態においてモダン部が非係合位置にある状態を示す上面図である。
【図５】本考案に係る眼鏡の一実施形態においてモダン部が係合位置にある状態を示す上面図である。
【考案を実施するための形態】
【００１８】
以下、添付図面を参照しながら、本考案に係る眼鏡の具体的な一実施形態を詳細に説明する。
【００１９】
図２では、本考案に係る眼鏡の一実施形態における全体が上面図で示されている。図示のように、本実施形態の眼鏡は、レンズ１２を保持するフロントユニット１と、フロントユニット１の左右両側にそれぞれ蝶番である智１１１を介して連結されている左右一対のテンプルユニット２とを備えている。
【００２０】
フロントユニット１は、図示のように左右両方のレンズ１２を保持するリム１１を備えたものであるが、リムが半円状に形成されたハーフリム、またはリムを設けないリムレス（いわゆる縁なし）のものであっても構わない。あるいはいわゆるゴーグルのようにレンズとリムとがそれぞれ一つながりになっているものでも構わず、本考案に係る眼鏡においてフロントユニット１の具体的な形状は限定されない。
【００２１】
各テンプルユニット２は、全体が弾性を有するプラスチック材料から成っており、例えばナイロン（ｎｙｌｏｎ）、ポリカーボネート（ＰＣ）などから形成することができる。各テンプルユニット２は、智１１１と繋がっているテンプル部３と、テンプル部３に対して水平方向（即ちテンプルユニット２の延伸する方向）に揺動できるように、弾性を有するように形成された結合部５を介してテンプル部３のフロントユニット１から離れた後端側に連結されているモダン部４と、モダン部４の上記揺動を制止できるようにモダン部４とテンプル部３とを係脱可能に係合させる係合手段６とを有する。
【００２２】
以下、図３、図４、図５を参照して、テンプル部３、モダン部４、結合部５および係合手段６について詳説する。なお、両方のテンプルユニット２は左右対称で同様の構成になっているので、以下では一方のテンプルユニット２についてのみ説明する。
【００２３】
（テンプル部３）
テンプル部３は、対応する智１１１によりフロントユニット１とヒンジ接続されている接続部分３１と、接続部分３１と一体に形成されている第１の連結部分３２と、結合部５と一体に形成されており第１の連結部分３２と脱離可能に連結されている第２の連結部分３３とを有する。なお、図２、図４、図５では第１の連結部分３２と第２の連結部分３３が連結された状態が、図３では連結されていない状態がそれぞれ示されている。
【００２４】
第１の連結部分３２は、図３に示されているように、接続部分３１から延伸するように形成された連結壁３２０と、連結壁３２０から更に接続部分３１から離れる方向に延伸するように形成された嵌合溝形成壁３２３とからなっている。
【００２５】
連結壁３２０はそのモダン部４に面する側（即ち内側）の面に受け入れ溝３２２が陥設されている。また、嵌合溝形成壁３２３は、その内部に形成されており接続部分３１から離れる側に開口する嵌合溝３２４と、内側に開口するように嵌合溝形成壁３２３を貫通していると共に嵌合溝３２４と連通している調整孔３２５とを有する。調整孔３２５は、嵌合溝形成壁３２３の延伸方向に互いに間隔を置いて形成された複数の位置決め孔部３２６と、調整孔３２５により仕切られた嵌合溝形成壁３２３の上下の縁同士の間隔を縮めるように複数形成されて各位置決め孔部３２６間の上記間隔を画成する狭口部３２７とにより構成されている。
【００２６】
第２の連結部分３３は、第１の連結部分３２の嵌合溝３２４に脱離可能に嵌合できるように形成された嵌合腕３３１と、一端が結合部５と一体に形成されており他端が嵌合腕３３１と繋がっている弾性連結壁３３３とからなっている。
【００２７】
嵌合腕３３１は、その内側に、第１の連結部分３２の調整孔３２５に脱離可能に挿入できるように形成された突起３３２が設けられている。また、弾性連結壁３３３は、モダン部４に面する側面（内側面）から窪むように形成された内側窪み３３４と、内側窪み３３４が形成されている面の反対面（外側面）からそれぞれ窪むように形成された複数の外側窪み３３５とが設けられている。
【００２８】
上記の構成により、第２の連結部分３３の嵌合腕３３１が、第１の連結部分３２の嵌合溝３２４に嵌め込まれると、第２の連結部分３３の突起３３２が、第１の連結部分３２の調整孔３２５のいずれかの位置決め孔部３２６に挿入されて、第１の連結部分３２と第２の連結部分３３との連結が固定される。また、互いに連結された第１の連結部分３２と第２の連結部分３３を引き離したり、より近づけたりすると、突起３３２が狭口部３２７を超えて隣の位置決め孔部３２６に移動するので、第２の連結部分３３の第１の連結部分３２に対する嵌合の深さ、つまりはテンプル部３の長さを微調整することができる。なお、内側窪み３３４と外側窪み３３５は、第２の連結部分３３の水平方向への弾性を向上させるために設けられるものである。
【００２９】
本実施形態においては、図示および上記の説明のように、第１の連結部分３２を嵌合される溝側、第２の連結部分３３を嵌合する腕側となるように構成したが、これを反対に構成してもよく、また、突起３３２と調整孔３２５も反対に構成してもかまわない。
【００３０】
（モダン部４）
モダン部４は、テンプルユニット２の展開時にフロントユニット１に近い側の部位であり係合手段６によってテンプル部３と係脱可能に係合される係合部４１と、係合部４１に対してフロントユニット１から遠い側の部位であり着用時に着用者の頭部を受け入れる導入部４２とから成っている。
【００３１】
係合部４１は、導入部４２から離れた端に、テンプル部３の第１の連結部分３２に設けられている受け入れ溝３２２に脱離可能に嵌め入れることができるように形成された嵌め入れ部４１１を有する。
【００３２】
（結合部５）
結合部５は、上述のように、モダン部４を揺動可能にテンプル部３に結合するものであり、モダン部４の導入部４２と繋がっている第１の端５１と、第１の端５１の反対端であって、テンプル部３の弾性連結壁３３３と繋がっている第２の端５２とを有する。また結合部５は、弾性変形しやすくするために、第２の端５２から第１の端５１に向かって徐々に肉薄になるように形成されている（図４参照）。結合部５の弾性変形により、モダン部４の係合部４１が、下述する係合位置（図５）と非係合位置（図４）との間を移動することが可能となる。
【００３３】
係合位置とは、図５に示されているように、一対のモダン部４の各係合部４１の嵌め入れ部４１１がそれぞれ対応のテンプル部３の受け入れ溝３２２に係合されて各導入部４２同士が近づいた状態である。一方、非係合位置とは、図４に示されているように、一対のモダン部４の各係合部４１の嵌め入れ部４１１がそれぞれ対応のテンプル部３の受け入れ溝３２２から脱離していて各導入部４２同士が離れた状態である。なお、結合部５は、その弾性によりモダン部４を非係合位置側に付勢するものである。
【００３４】
（係合手段６）
係合手段６は、モダン部４の係合部４１の嵌め入れ部４１１に陥設されている係合溝６１と、テンプル部３の第１の連結部分３２に受け入れ溝３２２に向かって突出するように設けられている突条６２とから構成されている。係合溝６１と突条６２とは互いに係合することができるように形成されたものであり、嵌め入れ部４１１が受け入れ溝３２２に嵌められた際に互いに係合できるよう位置対応している。
【００３５】
なお、係合溝６１と突条６２とは入れ替えて設けてもよく、つまり、係合部４１とテンプル部３とのいずれか一方に係合溝６１を、他方に突条６２を設ければよい。
【００３６】
以下、本実施形態に係る眼鏡の着用について説明する。
【００３７】
収納状態において、眼鏡は、テンプル部３とモダン部４が上記係合位置にあり、智１１１が折られて両方のテンプルユニット２が畳まれている。
【００３８】
着用の際には、まず、収納状態にある眼鏡の両方のテンプルユニット２を展開し、モダン部４を、図４に示されている破線の位置（係合位置）から実線の位置（非係合位置）に移動するように揺動させる。すると、両方の導入部４２の間隔が広く開くので、着用者は頭部を容易に両方のテンプルユニット２の間に嵌めることができる。眼鏡が着用者の頭部に嵌められる際に、モダン部４の係合部４１が着用者の頭部に押されてテンプル部３に向かって移動する。すると、モダン部４の嵌め入れ部４１１がテンプル部３の受け入れ溝３２２に嵌り込み係合位置になる。また、眼鏡が着用者の頭部から外された際には、モダン部４が結合部５の戻り弾力を受けて再び図４に示す非係合位置に戻る。
【００３９】
加えて、本実施形態に係る眼鏡において、両方のテンプルユニット２を折り畳んで再び収納状態にしたい場合には、テンプル部３の第２の連結部分３３を第１の連結部分３２側に押して、つまり嵌合腕３３１を嵌合溝３２４により深く挿入して、突起３３２を複数の位置決め孔部３２６の内の最も奥側（フロントユニット１に近い側）に位置する位置決め孔部３２６に嵌める（図５の状態）。次に、モダン部４の係合部４１をテンプル部３側に押して、嵌め入れ部４１１を受け入れ溝３２２に嵌め入れることにより、係合手段６の係合溝６１と突条６２とが嵌り合い、モダン部４が上記係合位置に固定されるので、その状態で、両方のテンプルユニット２を折り畳めば、よりコンパクトに収納状態にすることができる。
【００４０】
コンパクトに畳まれた収納状態の眼鏡を再び着用する際には、テンプル部３の第２の連結部分３３を第１の連結部分３２から引き抜く方向に移動させれば、突起３３２が複数の位置決め孔部３２６の内の最も手前側（フロントユニット１から遠い側）に位置する位置決め孔部３２６に嵌まる（図４の状態）と同時に係合手段６の係合溝６１と突条６２との係合が解除されるので、モダン部４が結合部５の戻り弾力を受けて再び非係合位置に戻り、着用に供することができる。
【００４１】
以下に本考案の上記実施形態に係る眼鏡の利点を説明する。
【００４２】
上記実施形態においては、モダン部４が揺動できるように弾性変形できる結合部５を介してテンプル部３に連結されている上に、結合部５がその弾性によりモダン部４を上述の非係合位置に向かって付勢していることにより、テンプルユニット２が展開された状態において、両方のモダン部４の導入部４２間の間隔が広く開いているので（図２参照）、着用に便利なだけでなく、着用時にモダン部４（導入部４２）の先端が目に刺さるという危険が解決されている。
【００４３】
しかも、係合手段６によりモダン部４の係合部４１をテンプル部３の第１の連結部分３２に係合することができるので、コンパクトに収納できる上に収納状態における眼鏡の構造強度が向上されており、更にはモダン部４が不意に揺動してレンズ１２を傷つける虞もない。
【００４４】
加えて、テンプル部３の第１の連結部分３２と第２の連結部分３３とを離したり近づけたりすることによりテンプル部３の長さが微調整できるので、よりコンパクトに収納できるだけでなく、着用にも便利である。
【００４５】
以上、本考案の好ましい実施形態を説明したが、本考案はこれに限定されるものではなく、その要旨を逸脱しない範囲で種々変更可能であることはいうまでもない。
【産業上の利用可能性】
【００４６】
本考案に係る眼鏡は、着用の安全性と利便性が向上されている上にコンパクトに且つ丈夫に折り畳むことができるので、例えば視力補正用、保護用、装飾用の様々な眼鏡として利用可能である。
【符号の説明】
【００４７】
１          フロントユニット
１１        リム
１１１      智
１２        レンズ
２          テンプルユニット
３          テンプル部
３１        接続部分
３２        第１の連結部分
３２０      連結壁
３２２      受け入れ溝
３２３      嵌合溝形成壁
３２４      嵌合溝
３２５      調整孔
３２６      位置決め孔部
３２７      狭口部
３３        第２の連結部分
３３１      嵌合腕
３３２      突起
３３３      弾性連結壁
３３４      内側窪み
３３５      外側窪み
４          モダン部
４１        係合部
４１１      嵌め入れ部
４２        導入部
５          結合部
５１        第１の端
５２        第２の端
６          係合手段
６１        係合溝
６２        突条
【図１】
0003191437.tif 000003
【図２】
0003191437.tif 000004
【図３】
0003191437.tif 000005
【図４】
0003191437.tif 000006
【図５】
0003191437.tif 000007